(57)【要約】【課題】エルダップ（ＬＤＡＰ）サーバからファックス（ＦＡＸ）番号を取得した場合に交換機が認識できないコードを削除し交換機を使ってＦＡＸ送信を可能とし、また、市外局番の送出不要な場合に送出せず、さらに、市外局番の検出不能時に警告文を表示してユーザにその旨を通知し得るファクシミリ装置を提供することにある。【解決手段】エルダップサーバ１０よりファックス番号を引用するファクシミリ装置において、ファックス番号以外の文字列を検出する機能と、ファックス番号のみをファックス番号として使用する制御機能とを有するシステム制御部５を備えた。【選択図】      図１
2004282394.tif 000002
【特許請求の範囲】
【請求項１】
エルダップサーバよりファックス番号を引用するファクシミリ装置において、ファックス番号以外の文字列を検出する文字列検出手段と、ファックス番号のみをファックス番号として使用するファックス番号使用手段とを備えたことを特徴とするファクシミリ装置。
【請求項２】
エルダップサーバよりファックス番号を引用するファクシミリ装置において、ファックス番号以外の文字列を検出する文字列検出手段と、送信する市外局番を検出する市外局番検出手段と、自機の市外局番を登録する市外局番登録手段と、送信するファックス番号に市外局番が不要な場合は、削除してファックス送信する市外局番削除手段とを備えたことを特徴とするファクシミリ装置。
【請求項３】
前記市外局番検出手段により送信する市外局番を検出した結果、該市外局番が検出不能な場合、その旨の警告文を表示する表示手段を備えたことを特徴とする請求項２記載のファクシミリ装置。
【発明の詳細な説明】
【０００１】
【発明の属する技術分野】
本発明は、エルダップ（ＬＤＡＰ）サーバクライアント装置と接続するファクシミリ装置に関するものである。
【０００２】
【従来の技術】
一般公衆網やＬＡＮ等のネットワークを介してファクシミリ送信を行うことはすでに知られている。
【０００３】
【発明が解決しようとする課題】
しかしながら、上記従来技術には、ファックス番号以外に含まれる文字列の場合、送信するファックス番号に市外局番が不要な場合、適切な送信をするファックス番号が検出できない場合等の対応に適する手段の開発が望まれていた。
そこで本発明の目的は、上記の問題点を解決するために、エルダップ（ＬＤＡＰ）サーバからファックス（ＦＡＸ）番号を取得した場合に交換機が認識できないコードを削除し交換機を使ってＦＡＸ送信を可能とし、また、市外局番の送出不要な場合に送出せず、さらに、市外局番の検出不能時に警告文を表示してユーザにその旨を通知し得るファクシミリ装置を提供することにある。
【０００４】
【課題を解決するための手段】
前記の課題を解決するために、請求項１記載の発明では、エルダップサーバよりファックス番号を引用するファクシミリ装置において、ファックス番号以外の文字列を検出する文字列検出手段と、ファックス番号のみをファックス番号として使用するファックス番号使用手段とを備えたことを特徴とする。
請求項２記載の発明では、エルダップサーバよりファックス番号を引用するファクシミリ装置において、ファックス番号以外の文字列を検出する文字列検出手段と、送信する市外局番を検出する市外局番検出手段と、自機の市外局番を登録する市外局番登録手段と、送信するファックス番号に市外局番が不要な場合は、削除してファックス送信する市外局番削除手段とを備えたことを特徴とする。
請求項３記載の発明では、前記市外局番検出手段により送信する市外局番を検出した結果、該市外局番が検出不能な場合、その旨の警告文を表示する表示手段を備えたことを特徴とする。
【０００５】
【発明の実施の形態】
以下、図面により本発明の実施の形態を詳細に説明する。図１は本発明のファクシミリ装置の実施の形態を示す概略全体構成図である。図１において、ファクシミリ装置はファックス（以下、ＦＡＸと記す）送信する原稿を２値データとして入力するためのスキャナ部１、受信した２値化画像を転写紙に印刷するプロッタ部２を有している。
ファクシミリ装置には、また、送信操作や各種機器の状態などを表示操作する操作表示部３、メモリ送信時や受信時に一時的に画像を蓄積する画像蓄積部４、ファクシミリの動作を制御するシステム制御部５、生データをＦＡＸ通信の圧縮モードのＴ．４に準拠したＭＨ／ＭＲ／ＭＭＲ等に圧縮／伸張を行う圧縮伸張部６がある。
ファクシミリ装置には、さらに、圧縮されたデジタルデータを一般公衆網に流すためにアナログデータに変調／復調を行うモデム７、一般公衆網と機器との間の信号処理のインターフェイスを行うＮＣＵ（ネットワーク制御装置）部８、およびネットワークとのインターフェイスを行うＮＩＣ（ネットワークインターフェースカード）部９を含んでいる。
このＮＩＣ部９にはエルダック（ライトウエイトディレクトリアクセスプロトコル、以下、ＬＤＡＰ）サーバ１０が接続される。ＬＤＡＰサーバ１０よりＦＡＸ番号を引用するファクシミリ装置はＦＡＸ番号以外の文字列を検出する手段と、ＦＡＸ番号のみをＦＡＸ番号として使用する手段を備えている。これらの手段はシステム制御部５の機能に属する。
【０００６】
図２は本発明によるファクシミリ装置のＦＡＸ送信画面を示す概略図である。このファクシミリ装置を説明すると、通常図２のようにＦＡＸ送信画面１１がある。
図３はＬＤＡＰサーバから引用してきた電話帳の一覧を示す図である。その電話帳にはＬＤＡＰサーバ１０から引用してきた電話帳の一覧が表示されている。このとき、ある電話帳を選択するとＬＤＡＰサーバ１０よりその電話帳の情報を取得する。
一般的なＬＤＡＰサーバ１０からは、ＲＰＣに準拠した「ファクシミリ電話番号」という属性にＦＡＸ番号が設定されていて取得できる。このとき、ＬＤＡＰサーバ１０に登録されているＦＡＸ番号から送信宛先を設定するがこの中身はＦＡＸ番号以外のコードが含まれている可能性がある。
その場合、そのまま送信したのでは正しいＦＡＸ番号と認識することができない。図３の例では「ＦＡＸ  ０３−１２３４５６」とＬＤＡＰサーバ１０からＦＡＸ番号が送られてくるが「ＦＡＸ」や「−」は交換機で認識できないコードである。
そのために「０−９」「＊」、「＃」以外のコードがＦＡＸ番号に含まれていたら除いて送信を行うようにする。図３の例では「０３１２３４５６」のコードが交換機に送出されることになる。
ＬＤＡＰサーバ１０よりＦＡＸ番号を引用するファクシミリ装置の他の実施の形態において、ＦＡＸ番号以外の文字列を検出する手段と、送信する市外局番を検出する手段と、自機の市外局番を登録する手段と、送信するＦＡＸ番号に市外局番が不要な場合は、削除してＦＡＸ送信する手段を備えている。これらの手段はシステム制御部５の機能に属する。
ＦＡＸ番号を送出するときに同じ市内局番の場合は、市外局番を削除して送出しなければいけない。最初にＬＤＡＰサーバ１０から取得したＦＡＸ番号に市外局番は含まれているかどうかのチェックを行う。
市外局番が含まれているかどうかはＦＡＸ番号の先頭がＮＴＴで規定されている（例：東京０３、横浜０４５）。したがって、そのパターンに一致するかどうかでＬＤＡＰサーバ１０から取得したＦＡＸ番号に市外局番が含まれているかどうかを判断する。
【０００７】
図４は自局の番号を登録することを示す図である。また、自機にも自局の番号を予め登録しておく。自局番号の市外局番も上記の方式で判断を行い、ＬＤＡＰサーバ１０から取得した送信を行うＦＡＸ番号と自局番号の市外局番が一致しているかを判断し一致している場合は市外局番を削除してＦＡＸ送信を行なう。一致していなければそのまま送信を行なう。
図５は誤ったＦＡＸ番号が入力されている場合を示す図である。図６は図５の場合に表示する警告文を有する表示画面を示す図である。適切な送信をするＦＡＸ番号が検出できない場合は警告文を表示する表示手段（操作表示部）３で警告文を表示する。
上述したＬＤＡＰサーバ９から取得した送信を行うＦＡＸ番号で市外局番を検索するときに国コードが入っていたり誤った番号が入力されている場合などがある（図５のＦＡＸ番号の「＋」）。その場合は、図６のような警告文を表示手段（操作表示部）３に表示することによってユーザにそのままのＦＡＸ番号では使用できないことを通知する。
図７は上述した本発明のファクシミリ装置の操作の流れを説明するフローチャートである。まず、宛先からＦＡＸ番号以外のコードを削除する（Ｓ１）。宛先の市外局番を検索し（Ｓ２）、市外局番判別不能かどうかをチェックする（Ｓ３）。
判別不能でなければ、市外局番が有るかどうかをチェック（Ｓ４）し、市外局番が無いならばそのまま送信し（Ｓ６）、操作を終了する。市外局番が有るならば自局番と市外局番が一致するかどうかをチェック（Ｓ５）する。
市外局番が一致するならば市外局番を削除して送信し（Ｓ７）、操作を終了する。ステップ（Ｓ３）のチェックで市外局番が判別不能であるならば、警告文を表示手段（操作表示部）３に表示して（Ｓ８）、操作を終了する。
【０００８】
【発明の効果】
以上説明したように、請求項１によれば、ＬＤＡＰサーバからＦＡＸ番号を取得した場合に交換機が認識できないコードを削除し交換機を使ってＦＡＸ送信することができる
請求項２によれば、ＬＤＡＰサーバから取得したＦＡＸ番号が市外局番の送出不要な場合に送出しないようにすることができる。
請求項３によれば、ＬＤＡＰサーバから取得したＦＡＸ番号が市外局番の検出不能な時に警告文を表示しユーザにその旨を通知することができる。
【図面の簡単な説明】
【図１】本発明のファクシミリ装置の実施の形態を示す概略全体構成図である。
【図２】本発明によるファクシミリ装置のＦＡＸ送信画面を示す概略図である。
【図３】ＬＤＡＰサーバから引用してきた電話帳の一覧を示す図である。
【図４】自局の番号を登録することを示す図である。
【図５】誤ったＦＡＸ番号が入力されている場合を示す図である。
【図６】図５の場合に表示する警告文を有する表示画面を示す図である。
【図７】上述した本発明のファクシミリ装置の操作の流れを説明するフローチャートである。
【符号の説明】
３  操作表示部（表示手段）、５  システム制御部（文字列検出、ＦＡＸ番号使用、市外局番検出、市外局番登録、ＦＡＸ送信機能）、１０  エルダップ（ＬＤＡＰ）サーバ
【図１】
2004282394.tif 000003
【図２】
2004282394.tif 000004
【図３】
2004282394.tif 000005
【図４】
2004282394.tif 000006
【図５】
2004282394.tif 000007
【図６】
2004282394.tif 000008
【図７】
2004282394.tif 000009